(57)【要約】【課題】ミストノズルの先端噴霧口の向きを可変にできる構造でありながら、機器ケーシングの前パネルに設けたノズル用開口孔の開口寸法を小さく抑えて外観意匠性を向上させる。【解決手段】ミストサウナ用の水を噴霧するミストノズル１０の先端噴霧口１０ｅを機器ケーシング２５の前パネル２５ｂに設けたノズル用開口孔４０から浴室１３内に臨んで配置するにあたって、ノズル用開口孔４０を貫通するミストノズル１０の先端部分１０ｆの中心線とノズル用開口孔４０の中心部との交点が前パネル２５ｂの面方向の位置を概略維持しながら、ミストノズル１０の先端噴霧口１０ｅが設けられる先端部分１０ｆとは反対側の後端部分側を動かすことでミストノズル１０の角度変更を行なうノズル角度変更手段６を備えたミスト噴霧装置３である。【選択図】図１
2008110022.tif 000002
【特許請求の範囲】
【請求項１】
ミストサウナ用の水を噴霧するミストノズルの先端噴霧口を機器ケーシングの前パネルに設けたノズル用開口孔から浴室内に臨んで配置したミスト噴霧装置であって、前記ノズル用開口孔を貫通するミストノズルの先端部分の中心線とノズル用開口孔の中心部との交点が前パネルの面方向の位置を概略維持しながら、ミストノズルの先端噴霧口が設けられる先端部分とは反対側の後端部分側を動かすことでミストノズルの角度変更を行なうノズル角度変更手段を備えていることを特徴とするミスト噴霧装置。
【請求項２】
前記ノズル角度変更手段は、ミストノズルを備えたノズルブロックと機器ケーシングに設けたノズルブロック保持部のいずれか一方に、ミストノズルの長手方向と略直交する幅方向に間隔をあけてねじ穴と係止爪とが設けられ、いずれか他方に、ねじ具が挿入可能な少なくとも２つのねじ具挿入孔と前記係止爪が係止可能な少なくとも２つの係止孔とが設けられ、ねじ具が一方のねじ具挿入孔を介してねじ穴に取り付けられ且つ係止爪が一方の係止孔に係止された第１の状態と、ねじ具が他方のねじ具挿入孔を介してねじ穴に取り付けられ且つ係止爪が他方の係止孔に係止された第２の状態とで、ノズル用開口孔を貫通するミストノズルの先端部分の中心線とノズル用開口孔の中心部との交点が前パネルの面方向の位置を概略維持しながら、ミストノズルの先端噴霧口の向きが異なる角度となり、ねじ具を締め付けることでミストノズルを選択した角度で保持可能としたことを特徴とする請求項１記載のミスト噴霧装置。
【請求項３】
前記浴室内に温風を供給する暖房機本体が付設され、暖房機本体の温風吹き出し口が前記機器ケーシングの前パネル近傍に配置され、前記ノズル角度変更手段は、前パネルに対するミストノズルの角度が大きい場合よりも小さい場合にはミストノズルの先端噴霧口を前パネルの前方に向けて繰り出すためのノズル繰り出し機能を有していることを特徴とする請求項１又は２に記載のミスト噴霧装置。
【発明の詳細な説明】
【技術分野】
【０００１】
本発明は、ミスト噴霧装置に関し、詳しくはミストノズルの角度変更を行なうことができるミスト噴霧装置に関するものである。
【背景技術】
【０００２】
従来、ミストサウナ用の水を噴霧するノズルの先端噴霧口を機器ケーシングの前パネルに設けたノズル用開口孔から浴室内に臨んで配置したミスト噴霧装置が知られている。
【０００３】
ところで従来はノズル角度が固定されているため、機器を設置するユニットバスの形状により、洗い場側までミスト粒子が到達しないという問題を生じる場合があり、ノズル角度を変更できるミストサウナ装置が要望されている。
【０００４】
そこで、ミスト噴霧角度を調整できるようにノズルを上下方向に首振り可能としたミスト噴霧装置が知られている（例えば、特許文献１参照）。
【０００５】
ところが前記特許文献１に記載された従来例では、ノズルの後端部分（配管との接続側）をノズルの回動の中心としているため、回動により角度を変更した場合には、ノズルの先端噴霧口が設けられる先端部分が大きく振れることとなり、このため前パネルのノズル用開口孔を大きく開口させる必要が生じ、機器ケーシングの外観の意匠面に悪影響を与えるという問題があった。
【特許文献１】特開２００３−７９５２７号公報
【発明の開示】
【発明が解決しようとする課題】
【０００６】
本発明は前記の従来の問題点に鑑みて発明したものであって、ミストノズルの先端噴霧口の向きを可変にできる構造でありながら、機器ケーシングの前パネルに設けたノズル用開口孔の開口寸法を小さく抑えることができ機器ケーシングの外観意匠性が向上するミスト噴霧装置を提供することを課題とし、さらに、例えば前パネル近傍に配置される温風吹き出し口に可動ルーバーが設けられている場合においてはミストが可動ルーバーに当たらないようにでき、可動ルーバー表面での結露を未然に防止できるようなノズル角度変更が可能となっているミスト噴霧装置を提供することを課題とするものである。
【課題を解決するための手段】
【０００７】
前記課題を解決するために本発明は、ミストサウナ用の水を噴霧するミストノズル１０の先端噴霧口１０ｅを機器ケーシング２５の前パネル２５ｂに設けたノズル用開口孔４０から浴室１３内に臨んで配置したミスト噴霧装置であって、前記ノズル用開口孔４０を貫通するミストノズル１０の先端部分１０ｆの中心線とノズル用開口孔４０の中心部との交点が前パネル２５ｂの面方向の位置を概略維持しながら、ミストノズル１０の先端噴霧口１０ｅが設けられる先端部分１０ｆとは反対側の後端部分１０ｇ側を動かすことでミストノズル１０の角度変更を行なうノズル角度変更手段６を備えていることを特徴としている。
【０００８】
このような構成とすることで、ノズル角度変更手段６によってミストノズル１０の先端噴霧口１０ｅの向きを可変にできるので、ミストを浴室１３の洗い場６０側に向けることができ、例えばミストが壁に当たったり、浴槽５０内に飛散したりするという無駄をなくすことができる。しかも、ミストノズル１０の保持角度を別の角度に変更するに際し、ミストノズル１０の先端噴霧口１０ｅが設けられる先端部分１０ｆの位置が大きく振れることなく角度変更を行なうことができるので、機器ケーシング２５の前パネル２５ｂに設けたノズル用開口孔４０を小さくすることが可能となる。
【０００９】
また、前記ノズル角度変更手段６は、ミストノズル１０を備えたノズルブロック３７と機器ケーシング２５に設けたノズルブロック保持部３６ｂのいずれか一方に、ミストノズル１０の長手方向Ａと略直交する幅方向Ｂに間隔をあけてねじ穴６７と係止爪４３とが設けられ、いずれか他方に、ねじ具４１が挿入可能な少なくとも２つのねじ具挿入孔４２と前記係止爪４３が係止可能な少なくとも２つの係止孔４４とが設けられ、ねじ具４１が一方のねじ具挿入孔４２を介してねじ穴６７に取り付けられ且つ係止爪４３が一方の係止孔４４に係止された第１の状態と、ねじ具４１が他方のねじ具挿入孔４２を介してねじ穴６７に取り付けられ且つ係止爪４３が他方の係止孔４４に係止された第２の状態とで、ノズル用開口孔４０を貫通するミストノズル１０の先端部分１０ｆの中心線とノズル用開口孔４０の中心部との交点が前パネル２５ｂの面方向の位置を概略維持しながら、ミストノズル１０の先端噴霧口１０ｅの向きが異なる角度となり、ねじ具４１を締め付けることでミストノズル１０を選択した角度で保持可能とするのが好ましく、この場合、ねじ具４１を挿入するねじ具挿入孔４２を選び且つ係止爪４３を係止させる係止孔４４を選ぶだけでミストノズル１０の角度を異なる角度に容易に選択可能になると共に、ねじ固定と係止との組み合わせによってねじ固定箇所が削減され、ノズル角度変更作業を簡単に行なえるようになる。
【００１０】
また、前記浴室１３内に温風を供給する暖房機本体２が付設され、暖房機本体２の温風吹き出し口３０が前記機器ケーシング２５の前パネル２５ｂ近傍に配置され、前記ノズル角度変更手段６は、前パネル２５ｂに対するミストノズル１０の角度が大きい場合よりも小さい場合にはミストノズル１０の先端噴霧口１０ｅを前パネル２５ｂの前方Ｆに向けて繰り出すためのノズル繰り出し機能を有しているのが好ましく、この場合、例えば前パネル２５ｂ近傍に配置される温風吹き出し口３０に可動ルーバー２８が設けられている場合は、ミストノズル１０の繰り出しによってミストが可動ルーバー２８に当たらないようにでき、可動ルーバー２８表面での結露を防止できるようになる。
【発明の効果】
【００１１】
本発明に係るノズル角度変更手段は、ミストノズルの先端噴霧口の向きを可変にできる構造でありながら、機器ケーシングの前パネルに設けたノズル用開口孔の開口寸法を小さく抑えることが可能となり、機器ケーシングの外観意匠性が向上するものである。
【００１２】
また本発明に係るノズル角度変更手段は、前パネルに対するミストノズルの角度が大きい場合よりも小さい場合にはミストノズルの先端噴霧口を前パネルの前方に向けて繰り出すためのノズル繰り出し機能を有しているので、例えば前パネル近傍に配置される温風吹き出し口に可動ルーバーが設けられている場合にはミストノズルの繰り出しによってミストが可動ルーバーに当たらないようにでき、可動ルーバー表面での結露を防止できるようなノズル角度変更が可能となる。
【発明を実施するための最良の形態】
【００１３】
以下、本発明を添付図面に示す実施形態に基いて説明する。
【００１４】
ミストサウナ機能付き浴室暖房乾燥機１は、図１３に示すように、浴室１３の天井部に設置され、浴室１３内に温風を供給する暖房機本体２と、浴室１３内にミスト噴霧を行なうミスト噴霧装置３とで構成されている。なお図１３中の１５は浴室１３外に設置されるリモコン操作部であり、ミスト運転スイッチ、暖房運転スイッチ、換気運転スイッチ、乾燥運転スイッチ、涼風運転スイッチ等が設けられている。
【００１５】
前記暖房機本体２は、図１０、図１１に示すように、循環ファン５と、循環ファン５により通風される空気を熱源機１４（図１３）から供給される温水により加熱する暖房用熱交換器７と、暖房用熱交換器７への温水の供給量を調節する熱動弁８とが機器ケーシング２５内に収納されている。暖房用熱交換器７は、熱源機１４からの温水が循環する暖房用温水管路１６の途中に配置され、熱動弁８を開放することで、循環ファン５からの風が暖房用熱交換器７により加熱されて、下方の温風吹き出し口３０から浴室１３内に供給されるようになっている。さらに暖房用温水管路１６の途中には、後述のミスト用熱交換器１１を加熱するためのミスト加熱用温水管路１９がバイパス接続されている。ミスト加熱用温水管路１９の上流端は暖房用温水管路１６の熱動弁８よりも上流位置に分岐接続され、ミスト加熱用温水管路１９の下流端は暖房用温水管路１６の暖房用熱交換器７よりも下流位置に合流している。図１０中の９は浴室温度センサー、１７は温水往き温度センサー、２６は換気ファンであり、図１１中の３４は排気エルボである。
【００１６】
前記暖房機本体２の機器ケーシング２５の上部にはミストボックス３２が載設されている。ミストボックス３２内には、ミスト用給水管路２０の一部が配管されている。ミスト用給水管路２０の途中には後述のミスト用熱交換器１１が配置されている。ミスト用熱交換器１１よりも上流側は、給水電磁弁２２及びストレーナ２３を介して、外部の水道管に接続されている。ミスト用給水管路２０の下流側の部分は暖房機本体２の機器ケーシング２５内に配管されていると共に、機器ケーシング２５内に設置される第１及び第２ノズル開閉弁２９ａ，２９ｂを介して、ミストサウナ用の水を噴霧するミストノズル１０に接続されている。このようにミストボックス３２から機器ケーシング２５にまたがって配管されるミスト用給水管路２０と、ミストボックス３２内のミスト用熱交換器１１及び給水電磁弁２２と、機器ケーシング２５内のノズル開閉弁２９ａ，２９ｂ及びミストノズル１０とで、ミスト噴霧装置３が構成されている。
【００１７】
また、前記ミストボックス３２内には、前記暖房用温水管路１６から分岐されたミスト加熱用温水管路１９の一部が配管されていると共に、ミスト加熱用温水管路１９からミスト用熱交換器１１に供給される水温が適切になったときに温水の出湯量の調節を行う水比例弁１２と、ミスト用熱交換器１１からの循環温水の戻り温度を検知するための温水戻り温度センサー２１とが設置されている。さらにミスト用熱交換器１１から吐出する水の温度を検知するためのミスト温度センサー１８が設置されている。
【００１８】
また、機器ケーシング２５に設置されるミストノズル１０は、機器ケーシング２５のグリル板２５ａに設けた開口部２５ｃに嵌め込まれる前パネル２５ｂのノズル用開口孔４０から浴室１３内に臨んで配置されている。本例ではミストノズル１０は３個設けられ、例えば、ノズル開閉弁２９ａ側の１個のミストノズル１０ａは、マイルドなミストサウナ（ミスト噴霧量が例えば０．５リットル／ｍｉｎ）を得るためのものであり、ノズル開閉弁２９ｂ側の２個のミストノズル１０ｂ，１０ｃはハードなミストサウナ（ミスト噴霧量が例えば１．０リットル／ｍｉｎ）を得るためのものである。
【００１９】
浴室１３内は制御部（図示せず）により所定温度に制御される。制御部は、リモコン操作部１５から指令されるリモコン信号以外に、浴室温度センサー９、温水往き温度センサー１７、ミスト温度センサー１８、温水戻り温度センサー２１からの各検知信号を受信すると共に、各検知結果に基づいて暖房機本体２及びミスト噴霧装置３の各構成部品を駆動制御するマイクロコンピュータにより構成される。
【００２０】
次にミスト運転開始動作例を説明する。リモコン操作部１５のミスト運転スイッチを押すと制御部にミストサウナ運転開始を指令する信号が送られ、温水供給用の熱源機１４（図１３）に運転信号を出し、熱源機１４が暖房運転を開始する。次いで、図１０に示す温風側の熱動弁８、ミスト側の水比例弁１２がそれぞれ開き、８０℃の循環温水が暖房用温水管路１６内及びミスト加熱用温水管路１９内を循環し始める。次いで、温水往き温度が６０℃以上になると、循環ファン５がＯＮとなり、浴室１３に温風を送る。その後、浴室温度が２５℃以上になると給水手段を構成する給水電磁弁２２を開くと共にノズル開閉弁２９ａ，２９ｂの両方又は一方を開いて、ミスト噴霧を開始する。
【００２１】
ここで、本発明においては、浴室１３内に温風を供給する暖房機本体２の機器ケーシング２５に、ミストサウナ用の温水をミスト状に噴霧するミスト噴霧装置３を組み込んだものにおいて、機器ケーシング２５は、図４に示すように、上側ケース３５と、下側ケース３６と、ノズル用開口孔４０を有する前パネル２５ｂと、グリル板２５ａ（図１２）とで構成されている。前パネル２５ｂは、ノズルブロック３７を覆った状態で下側ケース３６に設けたパネル固定部３６ａに固定される。また下側ケース３６の幅方向Ｂの両端部には、それぞれ、ノズルブロック３７を後述するノズル角度変更手段６を介して保持するためのノズルブロック保持部３６ｂが設けられている。つまり、前パネル２５ｂは下側ケース３６に対して動かないように固定され、一方、ノズルブロック３７は、下側ケース３６のノズルブロック保持部３６ｂに対して回動可能に保持されている。
【００２２】
このノズルブロック３７は、横方向に幅広のノズル取付台３７ａと、ノズル取付台３７ａに対して横方向に間隔をあけて取り付けられる３個のノズルホルダー３１と、各ノズルホルダー３１にそれぞれ保持される３個のミストノズル１０（１０ａ〜１０ｃ）とが一体化されている。１個のミストノズル１０ａは配管ユニット３８の１本の吐水管３９ａに接続され、２個のミストノズル１０ｂ，１０ｃは配管ユニット３８の１本の吐水管３９ｂに分岐接続されており、配管ユニット３８の給水管３９ｃはミスト用熱交換器１１、給水電磁弁２２などを介して水道管（図示せず）に接続されている。
【００２３】
ノズルホルダー３１には、図６に示すように、ノズルブロック３７に固定される固定ブラケット３１ａと、配管ユニット３８の吐水管に接続される配管接続口３１ｂと、ミストノズル１０が挿入されるノズル挿入口３１ｃと、一対の固定用ねじ孔３１ｄとが設けられている。ミストノズル１０の外周部には密閉用のＯリングが嵌め込まれる環状凹所１０ｈ（図７）が設けられている。ミストノズル１０は、ノズルホルダー３１のノズル挿入口３１ｃに挿入された状態で、固定ねじ３１ｅ（図２、図３）を固定用ねじ孔３１ｄにねじ込んで、固定ねじ３１ｅのねじ頭をミストノズル１０のつば部１０ｉ（図７）に係止させることで、ミストノズル１０がノズルホルダー３１に対して抜けないように固定されるようになっている。
【００２４】
さらに、本発明においては、機器ケーシング２５のノズルブロック保持部３６ｂに対してノズルブロック３７を角度変更可能に取り付けるためのノズル角度変更手段６を備えている。このノズル角度変更手段６は、温水を噴霧するミストノズル１０の角度を２つの異なる第１の角度と第２の角度のうちから選択可能とすると共に、角度変更するに際して、ノズル用開口孔４０を貫通するミストノズル１０の先端部分１０ｆの中心線とノズル用開口孔４０の中心部との交点が前パネル２５ｂの面方向の位置を概略維持しながら、ミストノズル１０の先端噴霧口１０ｅとは反対側の後端部分１０ｇ（図７）側を動かすことで、ミストノズル１０の先端部分１０ｆが大きく振れないようにしてミストノズル１０の角度変更を行なう機能を有している。
【００２５】
ノズル角度変更手段６の具体的構成を図１〜図３、図１７、図１８に示す。ノズルブロック３７におけるノズル取付台３７ａの両端部には、図１７、図１８に示すように、垂直片６７ａ，６７ｂが設けられ、各垂直片６７ａ，６７ｂには、それぞれ、ミストノズル１０の長手方向Ａと略直交する幅方向Ｂに間隔をあけてねじ穴６７と係止爪４３とが設けられている。またノズル取付台３７ａには例えば３つのノズルホルダー固定片６６が間隔をあけて突設されており、各ノズルホルダー固定片６６に対してノズルホルダー３１の固定ブラケット３１ａ（図６）がそれぞれビス等で固着されるものである。一方、機器ケーシング２５のノズルブロック保持部３６ｂには、図２に示すように、２つのねじ具挿入孔４２と２つの係止孔４４とが設けられている。なお、ノズルブロック３７側にねじ具挿入孔４２と係止孔４４とを設け、ノズルブロック保持部３６ｂ側にねじ穴６７と係止爪４３とを設けることも可能である。
【００２６】
ここで、前記２つのねじ具挿入孔４２は、図２に示すように、ミストノズル１０の先端噴霧口１０ｅを通る鉛直線Ｌを挟んでミストノズル１０とは反対側に位置する第１ねじ具挿入孔４２ａと第２ねじ具挿入孔４２ｂとからなる。図２の例では２つのねじ具挿入孔４２ａ，４２ｂはくびれ部４２ｃを介して連続形成されているが、勿論これに限らず、２つのねじ具挿入孔４２ａ，４２ｂは独立した孔であってもよい。また第１ねじ具挿入孔４２ａは鉛直線Ｌより遠く、第２ねじ具挿入孔４２ｂは鉛直線Ｌに近くに配置され、さらに第１ねじ具挿入孔４２ａは第２ねじ具挿入孔４２ｂよりも前方（図２の下方）に配置されている。そして、ねじ具４１の挿入孔として第１ねじ具挿入孔４２ａと第２ねじ具挿入孔４２ｂのいずれか一方を選択することで、ミストノズル１０の角度変更が可能となっている。
【００２７】
また、前記２つの係止孔４４は、前記鉛直線Ｌを挟んで前記ねじ具挿入孔４２とは反対側（ミストノズル１０側）に位置する第１係止孔４４ａと第２係止孔４４ｂとからなる。また第１係止孔４４ａは鉛直線Ｌに近く、第２係止孔４４ｂは鉛直線Ｌから遠くに配置され且つ第２係止孔４４ｂが第１係止孔４４ａよりも前方（図２の下方）に位置するように配置されている。また本例では２つの係止孔４４ａ，４４ｂはいずれも、リブ状の係止爪４３がスライド嵌合可能なスリット溝状をしており、第１係止孔４４ａは第１ねじ具挿入孔４２ａと対峙しており、第２係止孔４４ｂは第２ねじ具挿入孔４２ｂと対峙しており、係止爪４３は中央の段差部４４ｅを介して第１係止孔４４ａと第２係止孔４４ｂとの間で移動可能となっている。
【００２８】
ここで、前記第１ねじ具挿入孔４２ａと第１係止孔４４ａ間の距離ｄ１、及び、前記第２ねじ具挿入孔４２ｂと第２係止孔４４ｂ間の距離ｄ２は、それぞれ、前記ねじ穴６７と係止爪４３間の距離と等しく設定されており、図２に示すように、ねじ具４１を第１ねじ具挿入孔４２ａを介してねじ穴６７に取り付け且つ係止爪４３を第１係止孔４４ａに係止した第１の状態では、ミストノズル１０の先端噴霧口１０ｅが鉛直線Ｌに対して第１の角度θ１に向くようになっており、また図３に示すように、ねじ具４１を第２ねじ具挿入孔４２ｂを介してねじ穴６７に取り付け且つ係止爪４３を第２係止孔４４ｂに係止した第２の状態ではミストノズル１０の先端噴霧口１０ｅが鉛直線Ｌに対して第２の角度θ２（＞θ１）に向くようになっている。
【００２９】
しかして、ノズルブロック３７を機器ケーシング２５のノズルブロック保持部３６ｂに保持するノズル角度変更手段６において、ねじ具４１を第１ねじ具挿入孔４２ａからねじ穴６７に取り付け且つ係止爪４３を第１係止孔４４ａに係止した第１の状態と、ねじ具４１を第２ねじ具挿入孔４２ｂからねじ穴６７に取り付け且つ係止爪４３を第２係止孔４４ｂに係止した第２の状態とのいずれかを選択することによって、ノズルブロック保持部３６ｂに対してノズルブロック３７の取り付け角度を異なる２つの角度に変更でき、これに伴って、機器ケーシング２５の前パネル２５ｂに対するミストノズル１０を異なる２つの角度に変更できるようになる。図１６は第１の角度θ１が例えば２０°、第２の角度θ２が例えば３０°の場合を例示している。図１４はミストノズル１０の角度を２０°にした場合を示し、図１５はミストノズル１０の角度を３０°にした場合を示している。これにより、ミストを入浴者のいる洗い場６０側に向けることができ、例えばミストが壁に当たったり、浴槽５０内に飛散したりするという無駄をなくすことができる。しかもミストノズル１０の角度変更時において、図２から図３（或いは図３から図２）のように、ノズル用開口孔４０を貫通するミストノズル１０の先端部分１０ｆの中心線とノズル用開口孔４０の中心部との交点が前パネル２５ｂの面方向の位置を概略維持しながら、つまり、ミストノズル１０の先端部分１０ｆを略中心として後端部分１０ｇ（図７）が回動するので、機器ケーシング２５の前パネル２５ｂに設けたノズル用開口孔４０からミストノズル１０の先端噴霧口１０ｅを浴室１３内に臨んで配置する構造において、ミストノズル１０の先端噴霧口１０ｅの位置がほとんど振れることがないため、従来のようにノズル用開口孔４０を大きくする必要がなくなり、この結果、ミストノズル１０の先端噴霧口１０ｅの向きを可変にできる構造でありながら、前パネル２５ｂに設けたノズル用開口孔４０の開口寸法を小さく抑えることができ、機器ケーシング２５の外観意匠性が良好となる。
【００３０】
また、ねじ具４１を挿入するねじ具挿入孔４２を選び且つ係止爪４３を係止させる係止孔４４を選ぶだけで、ミストノズル１０の向きを異なる２つの角度から容易に選択可能になると共に、ねじ固定と係止との組み合わせによってねじ固定箇所が削減され、ノズル角度変更作業を簡略化できる利点もある。
【００３１】
また本例のノズル角度変更手段６は、ミストノズル１０の角度を第１の角度θ１の近辺で微調整でき、また第２の角度θ２の近辺で微調整できるようにしている。具体的には図２に示すように、係止爪４３と第１係止孔４４ａとの間、或いは図３に示すように、係止爪４３と第２係止孔４４ｂとの間には、それぞれ、調整代となる隙間が生じており、この調整代の範囲でねじ具４１を回動中心として係止爪４３を前後にずらすことによって、ミストノズル１０の向きを微調整でき、ミスト噴霧方向の微調整が可能となる。
【００３２】
さらに本例のノズル角度変更手段６は、ミストノズル１０を第１の角度θ１から第２の角度θ２に変更したときは、ミストノズル１０の先端噴霧口１０ｅが前パネル２５ｂの前方Ｆに向けて繰り出すノズル繰り出し機能も備えている。具体的には、係止爪４３を第１係止孔４４ａから第２係止孔４４ｂに前進移動させた際の係止爪４３の前進距離が、ねじ具４１の位置が第１ねじ具挿入孔４２ａから第２ねじ具挿入孔４２ｂに変わるときのねじ具４１の後進距離よりも大きくなることにより、その距離差分だけ、ミストノズル１０が前方Ｆに繰り出すようになる。ちなみに、浴室１３内に温風を供給する浴室暖房機本体２に、浴室１３内にミストサウナ用の温水をミスト状に噴霧するミスト噴霧装置３を付設したものにおいて、ミストノズル１０の前パネル２５ｂに対する角度が小さい場合は、ミストが温風吹き出し口３０に設けられる可動ルーバー２８（図１１）に当たって、可動ルーバー２８の表面に結露水が発生して、結露水が落下して入浴者に当たるという不具合が生じる。これに対し本例のように、ミストノズル１０の角度が可動ルーバー２８側に向かう角度（図３の第２の角度）に選択された場合には、ミストノズル１０の先端噴霧口１０ｅがノズル用開口孔４０の前方Ｆに向けて繰り出す機能を有することにより、ミストが可動ルーバー２８に向かないようにでき、これにより可動ルーバー２８表面での結露を防止できる利点が得られる。
【００３３】
図８、図９はノズル角度変更手段６の他例を示している。基本構成は図１〜図３の実施形態と同様であり、対応する部分には同一符号を付しておく。異なる点だけを説明すると、本例では２つの係止孔４４ｃ，４４ｄは互いに略平行なスリット溝状に形成されている。なお２つの係止孔４４ｃ，４４ｄは独立した孔、連続した孔のいずれであってもよい。第１係止孔４４ｃは第１ねじ具挿入孔４２ａと対峙しており、第２係止孔４４ｄは第２ねじ具挿入孔４２ｂと対峙している。しかして、ねじ具４１を第１ねじ具挿入孔４２ａからねじ穴６７（図１８）に取り付け且つ係止爪４３を第１係止孔４４ｃに係止した状態では、図８のようにミストノズル１０の先端噴霧口１０ｅが鉛直線Ｌに対して第１の角度θ１を向き、一方、図９のように、ねじ具４１を第２ねじ具挿入孔４２ｂからねじ穴６７に取り付け且つ係止爪４３を第２係止孔４４ｄに係止した状態ではミストノズル１０の先端噴霧口１０ｅが鉛直線Ｌに対して第２の角度θ２（＞θ１）に向くようになる。これにより、図１〜図３の実施形態と同様に、ミストノズル１０の後端部分１０ｇ（図７）側を動かすことで、ミストノズル１０の先端部分１０ｆを動かすことなくミストノズル１０を異なる角度に変更することが可能となる。また本例においても、係止爪４３と第１係止孔４４ｃとの間、係止爪４３と第２係止孔４４ｄとの間に調整代となる隙間を設けて、ねじ具４１を回動中心としてミストノズル１０の角度を微調整可能としてもよいものであり、さらに、調整代の範囲で係止爪４３を最も前進移動させることで、ミストノズル１０が前方Ｆに繰り出すようにしてミストが可動ルーバー２８に当たらないようにしてもよいものである。
【００３４】
なお、前記図１〜３の実施形態、及び、図８、図９の実施形態では、いずれも、ミストノズル１０の角度を２段階で変更させる場合を例示したが、例えばねじ具挿入孔４２及び係止孔４４の数を増やすことで、３段階以上で変更させる構成も可能である。さらに、段階的に変更させるのではなく、無段階で変更させることも可能である。例えば複数個の係止孔４４を無段階で連続形成して、係止爪４３を連続した係止孔４４の任意の箇所で保持できるようにすることで、ミストノズル１０の角度が無段階で変更可能となる。
【図面の簡単な説明】
【００３５】
【図１】本発明の一実施形態に用いるミストノズルの角度を変更するためのノズル角度変更手段を説明する斜視図である。
【図２】同上のミストノズルを鉛直線に対して第１の角度に設定した状態の側面図である。
【図３】同上のミストノズルを鉛直線に対して第２の角度（＞第１の角度）に設定した状態の側面図である。
【図４】同上の機器ケーシングとノズルブロックの分解斜視図である。
【図５】（ａ）は同上の機器ケーシングの一方のノズルブロック保持部の側面図、（ｂ）は他方のノズルブロック保持部の側面図である。
【図６】（ａ）〜（ｃ）は同上のノズルホルダーを示す側面断面図、側面図、背面図である。
【図７】（ａ）は同上のミストノズルの一部破断した側面図、（ｂ）は正面図である。
【図８】ノズル角度変更手段の他例の説明図である。
【図９】図８の状態からミストノズルの角度を第２の角度に変更した状態の側面図である。
【図１０】同上のミストサウナ機能付き浴室暖房乾燥機の配管図である。
【図１１】同上のミストサウナ機能付き浴室暖房乾燥機の側面断面図である。
【図１２】同上の暖房機本体の機器ケーシングのグリル板を取り外した状態の斜視図である。
【図１３】浴室の天井部に同上のミストサウナ機能付き浴室暖房乾燥機を設置した場合の斜視図である。
【図１４】同上のミストノズルの角度を２０°にした場合の説明図である。
【図１５】同上のミストノズルの角度を３０°にした場合の説明図である。
【図１６】同上のミストの噴霧範囲の一例を示す説明図である。
【図１７】（ａ）〜（ｃ）は同上のノズル取付台の正面図、平面図、斜視図である。
【図１８】（ａ）（ｂ）は図１７（ａ）（ｂ）の矢印Ｖ方向から見た側面図、（ｃ）（ｄ）は図１７（ａ）（ｂ）の矢印Ｕ方向から見た側面図である。
【符号の説明】
【００３６】
１  ミストサウナ機能付き浴室暖房乾燥機
２  暖房機本体
３  ミスト噴霧装置
６  ノズル角度変更手段
１０  ミストノズル
１０ｅ  先端噴霧口
１０ｆ  先端部分
１０ｇ  後端部分
１３  浴室
２５  機器ケーシング
２５ｂ  前パネル
２８  可動ルーバー
３０  温風吹き出し口
３６ｂ  ノズルブロック保持部
３７  ノズルブロック
４０  ノズル用開口孔
４１  ねじ具
４２  ねじ具挿入孔
４３  係止爪
４４  係止孔
６７  ねじ穴
Ａ  ミストノズルの長手方向
Ｂ  ミストノズルの幅方向
Ｆ  前方
θ１  第１の角度
θ２  第２の角度
【図１】
2008110022.tif 000003
【図２】
2008110022.tif 000004
【図３】
2008110022.tif 000005
【図４】
2008110022.tif 000006
【図５】
2008110022.tif 000007
【図６】
2008110022.tif 000008
【図７】
2008110022.tif 000009
【図８】
2008110022.tif 000010
【図９】
2008110022.tif 000011
【図１０】
2008110022.tif 000012
【図１１】
2008110022.tif 000013
【図１２】
2008110022.tif 000014
【図１３】
2008110022.tif 000015
【図１４】
2008110022.tif 000016
【図１５】
2008110022.tif 000017
【図１６】
2008110022.tif 000018
【図１７】
2008110022.tif 000019
【図１８】
2008110022.tif 000020